Podtech/llm-jp-corpus-v4-ja_patent huggingface dataset:
(57)【要約】      （修正有）【課題】脚力が残存する被介護者がズボンとパンツを下にずらした状態で身体移動機を利用する場合の吊り上げ用装着帯を内側に縫い留めた上着を提供する。【解決手段】吊り上げ用装着帯を右装着帯と左装着帯ＨＫ、ＭＫとに分けて装着できるようにし、それら両装着帯それぞれは腕輪布部分ＨＵ、ＭＵと長尺布部分ＨＴ、ＭＴと肩上布部分とでつながる一体の複数枚に重ねた布地にし、長尺布部分ＨＴ、ＭＴの先端を肩上布部分ＨＫ、ＭＫに開けた通し穴ＨＫＡ、ＭＫＡに入れて上に上げ、上げた両肩それぞれの長尺布部分ＨＴ、ＭＴを吊り上げできるようにした吊り上げ用装着帯で、それらを着衣の内側に縫い留めて常時着用できるようにした。【選択図】図１
0003202552.tif 000002
【実用新案登録請求の範囲】
【請求項１】
吊り下げ用装着帯を左装着帯と右装着帯とで構成し、その左装着帯を左腕輪布部分と左長尺布部分と左肩上布部分とからなる一体の複数枚に重ねた布地にし、それは左上腕に巻く左腕輪布部分につながる左長尺布部分を背中から右脇下に回し、回した左長尺布部分の先端を胸から左肩上に位置する左肩上布部分に開けた通し穴に入れ、入れた左長尺布部分の先端穴にセーフテイスナップを掛けて被介護者の左側を吊り上げできるようにし、他方の右装着帯は右腕輪布部分と右長尺布部分と右肩上布部分とからなる一体の複数枚に重ねた布地にし、それは右上腕に巻く右腕輪布部分と、その右腕輪布部分につながる右長尺布部分を背中から左脇下に回し、回した右長尺布部分の先端を胸から右肩上に位置する右肩上布部分に開けた通し穴に入れ、入れた右長尺布部分の先端穴にセーフテイスナップを掛けて被介護者の右側を吊り上げできるようにし、それら右装着帯と左装着帯とを上着の内側に縫い留めて被介護者が常時着用できるようにした上着。
【考案の詳細な説明】
【技術分野】
【０００１】
本考案は、お尻から上の身体の重さ以内の力で吊り上げる事で立てる被介護者に装着する吊り上げ用装着帯に関するものである。
【背景技術】
【０００２】
車椅子を使用する多くの被介護者の中にはお尻から上の身体の重さと同じ力で吊り上げた場合に、その吊り上げる力と自身の脚力とで立てる被介護者は足の力をゆるめる事でお尻を車椅子又は便器に落下させ再び足に力を入れて立ち上がる事ができ、それら立ち上がれる足の筋力数値は各被介護者一人一人がバラバラであり、それら足に筋力を有する各被介護者が便所等でパンツを脱いだ状態で排便する時の吊り上げ用身体移動機で使用する吊り上げ用装着帯が国内で市販されてない。
【考案の概要】
【考案が解決しようとする課題】
【０００３】
介護者が被介護者の両脇の間に両腕を差し入れて抱き上げながら車椅子から便器に座らせる時のような状態を吊り上げ用身体移動機で被介護者を吊り上げる吊り上げ用装着帯を提供したい。
【課題を解決するための手段】
【０００４】
上記目的を達成するために、吊り上げ用装着帯を左装着帯と右装着帯とで構成し、その左装着帯を左腕輪布部分と左長尺布部分と左肩上布部分とからなる一体の複数枚に重ねた布地にし、それは左上腕に巻く左腕輪部分につながる左長尺布部分を背中から右脇下に回し、回した左長尺布部分の先端を胸から左肩上に位置する左肩上布部分に開けた通し穴に入れ、入れた左長尺布部分の先端穴にセーフテイスナップを掛けて被介護者の左側を吊り上げできるようにした。
【０００５】
右装着帯を右腕輪布部分と右長尺布部分と右肩上布部分とからなる一体の複数枚に重ねた布地にし、それは右上腕に巻く右腕輪布部分と、その右腕輪布部分につながる右長尺布部分を背中から左脇下に回し、回した右長尺布部分の先端を胸から右肩上に位置する右肩上布部分に開けた通し穴に入れ、入れた右長尺布部分の先端穴にセーフテイスナップを掛けて被介護者の右側を吊り上げできるようにした。
【０００６】
上記のような右装着帯と左装着帯とを着衣等の内側に縫い留めて被介護者が常時着用できるようにした上着。
【考案の効果】
【０００７】
本考案の右装着帯と左装着帯とを着衣等の内側に縫い留めた上着を被介護者が常時着用する事でウォシュレット（登録商標）の便器を使用できるようになり、簡易トイレの使用が激減しオシメの使用による肌荒を少なくし、部屋の臭いもなくなり家族の精神的負担を少なくする。
【図面の簡単な説明】
【０００８】
【図１】図1は右装着帯と左装着帯との斜視図である。
【図２】図2は右装着帯と左装着帯とを被介護者に装着した斜視図である。
【図３】図3は右装着帯と左装着帯とを上着の内側に縫い留めた上着を着用した被介護者の正面図。
【考案を実施するための形態】
【０００９】
本考案の実施形態を図1と図2とから説明する、吊り上げ用装着帯は左装着帯と右装着帯とで構成し、その左装着帯を左腕輪布部分HUと左長尺布部分HTと左肩上布部分HKとからなる一体の複数枚に重ねた布地にし、それは左上腕に巻く左腕輪布部分HUにつながる左長尺布部分HTを背中から右脇下に回し、回した左長尺布部分HTの先端を胸から左肩上に位置する左肩上布部分HKに開けた通し穴HKAに入れ、入れた左長尺布部分HTの先端穴HTAにセーフテイスナップFを掛けて被介護者の左側を吊り上げるようにした。
【００１０】
右装着帯を右腕輪布部分MUと右長尺布部分MTと右肩上布部分MKとからなる一体の複数枚に重ねた布地にし、それは右上腕に巻く右腕輪布部分MUと、その右腕輪布部分MUにつながる長尺布部分MTを背中から左脇下に回し、回した右長尺布部分MTの先端を胸から右肩上に位置する右肩上布部分MKに開けた通し穴MKAに入れ、入れた右長尺布部分の先端穴MTAにセーフテイスナップFを掛けて被介護者の右側を吊り上げるようにした。
【００１１】
上記のような右装着帯と左装着帯とを上着UW等の内側に縫い留めて被介護者が常時着用できるようにした上着UW。
【産業上の利用可能性】
【００１２】
車椅子の被介護者の中には足に筋力を保有する人も多く存在し、その人達に適した身体移動機には右装着帯と左装着帯とを上着等の内側に縫い留めて被介護者が常時着用できるようにした上着が必要です。
【符号の説明】
【００１３】
HU    左腕輪布部分
HT    左長尺布部分
HK    左肩上布部分
HKA  左肩上布部分に開けた通し穴
HTA  左長尺布部分の先端穴
MU    右腕輪布部分
MT    右長尺布部分
MK    右肩上布部分
MKA  右肩上布部分に開けた通し穴
MTA  右長尺布部分の先端穴
【図１】
0003202552.tif 000003
【図２】
0003202552.tif 000004
【図３】
0003202552.tif 000005
(57)【要約】      （修正有）【課題】ポケット状に形成されたフォルダ部の、書類の出し入れの容易性を損なうことなく、保管時や移動の際に、書類が脱落するのを防止する、複数枚のフォルダ部を備えたファイルを提供する。【解決手段】表表紙と裏表紙とを連設する背表紙とで構成された表紙体３の背表紙に溶着５された、複数枚のポケット状に形成されたフォルダ部２を備えたファイル１の、それぞれのフォルダ部２の長辺挿入部の下部１／２に溶着４することで、書類の出し入れの容易性を損なうことなく書類の脱落を防止し、書類の収納性を高める。【選択図】図１
0003202556.tif 000002
【実用新案登録請求の範囲】
【請求項１】
ポケット状に形成されたフォルダ部の長辺開口部の１／２下部の溶着で、書類の出し入れの容易性を損なうことなく、保管時や移動の際に、書類が脱落するのを防止することを特徴とする、複数枚のフォルダ部を備えたファイル。
【考案の詳細な説明】
【技術分野】
【０００１】
本考案は、書類の出し入れが容易なフォルダ部を有し、収納時や持ち運びの際に書類等の脱落を防止するファイルに関するものである
【背景技術】
【０００２】
書類を収納するフォルダを束ねて表紙体の背表紙に溶着し、ファイルとして利用するものはこれまでにも提案されてきた。
フォルダは書類の抜き差しが簡単に行えるが、収納できる書類の量が少なく、フォルダ自体の厚みも薄いので、フォルダを形成するシートの強度が低いこともあり自立が困難なため、フォルダを束ねて表紙体と組み合わせることでファイルとし、書類の出し入れのし易さや、収納性を高めている。
【０００３】
フォルダ部はその構造上書類等の出し入れは容易であるが、容易であるが故に収納時や移動の際に書類が脱落するおそれがある。
特許文献１でも書類を収納した場合、書類が脱落するおそれがあるので、書類保持部において重ね合わせたフィルムの一方に、半円状の突出部を形成し、これが他方のフィルムを覆うように折り返すことで書類の脱落を防止できるとしている。
また表表紙と裏表紙が離間しないように、紐、ボタン、面ファスナー、ゴムのバンド等の固定手段で固定することで、書類の脱落を防止している。
【先行技術文献】
【特許文献】
【０００４】
【特許文献１】特開２００９−２９１００号公報
【考案の概要】
【考案が解決しようとする課題】
【０００５】
解決しようとする問題点は、保管時や移動の際に、書類が脱落するのを防止する点である。
【課題を解決するための手段】
【０００６】
本考案は、ポケット状に形成されたフォルダ部の長辺開口部の１／２下部の溶着で、収納した書類等が落ちにくくするようにしていることを特徴とする。
【考案の効果】
【０００７】
本考案のファイルは、ポケット状に形成されたフォルダ部の書類の出し入れの容易性を損なうことなく、フォルダの長辺挿入部下部１／２を熱溶着や超音波溶着などで溶着し、挿入部の幅を狭めることで収納した書類の脱落を防止することができる。
【図面の簡単な説明】
【０００８】
【図１】図１は本実施形態による表紙を開いた状態のファイルを示す斜視図である。
【図２】図２は本実施形態による表紙を閉じた状態のファイルを示す斜視図である。
【図３】図３は本実施形態による表紙を開いた状態のファイルを示す正面図である。
【考案を実施するための形態】
【０００９】
書類の出し入れの容易性を損なうことなく書類の脱落を防止するという目的を、フォルダ部の長辺挿入部の下部１／２を溶着することで実現した。
【実施例１】
【００１０】
図１は、本考案の１実施例のファイル１で、表表紙６と裏表紙７とを連設する背表紙８とで構成された表紙体３の背表紙８にフォルダ部２が複数枚溶着５されている。
【００１１】
図２に示すように、表表紙６、背表紙８、裏表紙７は一連に連設されている。これら一連の表紙体３は、樹脂シートにより形成されているが、発泡樹脂シートや溶着が可能な各種シート材により形成するようにしてもよい。
【００１２】
フォルダ部２は樹脂シートにより形成され、長辺開口部の下部が１／２溶着４され、書類の脱落を防止する。
【００１３】
図３に示すように、フォルダ部２の正面の右側面に形成された指ぬき部９は、円弧状に構成され指を掛けやすくしている。
【符号の説明】
【００１４】
１    ファイル
２    フォルダ部
３    表紙体
４    １／２溶着
５    溶着
６    表表紙
７    背表紙
８    裏表紙
９    指ぬき部
【図１】
0003202556.tif 000003
【図２】
0003202556.tif 000004
【図３】
0003202556.tif 000005
(57)【要約】      （修正有）【課題】書斎や事務室の壁に貼られた大量のメモ用紙等を整理して収納する事が出来る多板式壁用掲示板を提供する。【解決手段】Ｌ字型の裏板１と逆Ｌ字型の表板２ａが短辺側どうしで丁番で１８０度まで回転可能に接続し、Ｌ字型の裏板１の短辺内側には丁番で中板３ａが１８０度まで回転可能に接続し、他方逆Ｌ字型の表板２ａの短辺内側には丁番で中板４ａが１８０度まで回転可能に接続している構造を有する。各板面の裏表にメモや書類を整理してクリップやマグネット係止具で係止して収納する。メモや書類を確認する場合は板面を開けば一目瞭然で閲覧ができ、書類を探し出す手間が掛からず事務の合理化に繋がる。【選択図】図１
0003202538.tif 000002
【実用新案登録請求の範囲】
【請求項１】
Ｌ字型の裏板１と逆Ｌ字型の表板２ａが短辺側どうしで２個の丁番６で１８０度まで回転可能に接続している、Ｌ字型の裏板１の短辺内側には２個の丁番７で中板３ａが１８０度まで回転可能に接続している、他方逆Ｌ字型の表板２ａの短辺内側には２個の丁番７で中板４ａが１８０度まで回転可能に接続している構造を有する片開きの多板式壁用掲示板
【請求項２】
請求項１の掲示板の裏板１を横方向に２倍の大きさにしたＵ字型の裏板５の右側に逆Ｌ字型の表板２ａと中板３ａと中板４ａを架装し、相対したＵ字型の裏板５の左側には左側Ｌ字型の表板２ｂと左側裏板用中板３ｂ及び左側表板用中板４ｂを架装した構造を有する両面開きの多板式壁用掲示板。
【考案の詳細な説明】
【技術分野】
【０００１】  本考案は屋内の壁用掲示板に関する。
【背景技術】
【０００２】  壁用掲示板は主に単板で作られ、それを壁に設置して片面のみに資料やポスター等の閲覧物を押しピンやマグネット等の係止具で止めて掲示する。【０００３】  特許文献１は本考案と同じく戸開き式であるが、掲示面はあくまでも１枚であり使用目的と用途が異なる。
【先行技術文献】
【特許文献】
【０００４】
【特許文献１】特開２０１３−２０１８号  公報
【考案の概要】
【考案が解決しようとする課題】
【０００５】  従来の室内の壁用掲示板は主に単板で壁に設置して、片面のみを使用し掲示板面積内に許容される閲覧物を一枚又は複数枚貼り付ける場合が多い、したがって単板の掲示板では閲覧物の数量には限界が有った。
【課題を解決するための手段】
【０００６】  本考案は壁側になる縦長のＬ字型の裏板１と逆Ｌ字型の表板２ａの短辺側どうしを２個の丁番６で１８０度まで回転可能に接続し、Ｌ字型の裏板１の短辺内側に２個の丁番７で中板３ａが１８０度まで回転可能に接続している、又逆Ｌ字型の表板２ａの短辺内側にも２個の丁番７で中板４ａが１８０度まで回転可能に接続する構造を有している複数の掲示板面を持つ片開きの多板式壁用掲示板である。【０００７】  前項の片開きの多板式壁用掲示板の裏板１のみが横方向に２倍の面積を有するＵ字型の裏板５の右側に中板３ａと中板４ａを前項と同様に架装し、相対したＵ字型の裏板５の左側には左側Ｌ字型の表板２ｂと左側裏板用中板３ｂ及び左側表板用中板４ｂを架装した構造である両面開きの多板式壁用掲示板。
【考案の効果】
【０００８】  書斎や事務室の壁などに設置した場合、今まで机上に煩雑に置かれた書類や、壁にピン止めされていた大量のメモ用紙等を整理して壁用掲示板の各板面にクリップ又はマグネット止め具で係止し収納する事が出来る。さらに整理して収納された書類やメモ用紙は必要に応じて表板や中板を開けば、一目瞭然で確認やチェックすることが出来るため事務作業の軽減につながる効果と室内の美観を保ち書類の日焼け止めや防塵効果も有る。
【図面の簡単な説明】
【０００９】
【図１】１型掲示板の開閉状態の斜視図
【図２】１型掲示板の開閉状態の底面図
【図３】１型掲示板の正面図
【図４】１型掲示板の底面図
【図５】２型掲示板の正面図
【図６】２型掲示板の底面図
【考案を実施するための形態】
【００１０】  本考案では片開き型掲示板を１型掲示板と称し、両開き掲示板を２型掲示板と称する。１型掲示板は右開きと左開きが設置方法により選択出来るが、２型掲示板は中央からの両開きとなる、中板の枚数は書類の量に応じ１枚から２枚を架装する。Ｌ字型の形容する意味はＬの長辺側は掲示板面で短辺側は接続側を指し、Ｕ字型とは両側の接続側となる短辺とそれを繋ぐ掲示板面である長辺での構成を指す。丁番は複数個を使用するが種類は表板用丁番６と中板用丁番７の２種類のみである。
【実施例１】
【００１１】  図１が示す片開き型の１型掲示板は、壁側に接している縦長のＬ字型の裏板１と逆Ｌ字型の表板２ａが側端で、２個の丁番６で半回転まで回転可能に接続されていて、Ｌ字型の裏板１の短辺内側には中板３ａが２個の丁番７で同じく半回転まで回転可能に接続している、また逆Ｌ字型の表板２ａの短辺内側には中板４ａが２個の丁番７で同じく半回転まで回転可能に接続している。この実施例は裏板、中板、表板とも木製板を使用しているため書類やメモ用紙は各板に固定した帯鉄１０にマグネット係止具で押えて係止するか押しピンで留める方法を取る。この１型掲示板の掲示面の数は表板２ａの表と裏、表板用中板４ａの表と裏、裏板用中板３ａの表と裏、裏板１の表と最大７面有り、其々が半回転まで見開き状態で書類やメモ用紙等の閲覧や確認が出来るため、必要書類が一目瞭然で探せることと設置面積の割には多くの掲示物の管理が可能と言える。又各板の間隔用スペーサー８は各掲示板間の間隔を保持し書類やメモ用紙の枚数確保及びマグネット係止具どうしの干渉を防止するために設ける。
【実施例２】
【００１２】  図５が示す両面開きの２型掲示板は実施例１の１型掲示板のＬ字型裏板１のみを横方向に２倍の巾にしたＵ字型の裏板５の右側に１型掲示板のＬ字型表板２ａ、裏板用中板３ａ、表板用中板を架装し、Ｕ字型の裏板５の左側に左側Ｌ字型の表板２ｂ、左側裏板用中板３ｂ、左側表板用中板４ｂを相向かいに架装した多板式壁用掲示板で各掲示板を中央から左右方向に中開きとした方法を取るタイプで、１型掲示板に比べて２倍の設置面積が必要であるが最大１４面の掲示面の確保が可能である。
【符号の説明】
【００１３】  １    １型掲示板のＬ字型の裏板
２ａ  １型掲示板の逆Ｌ字型の表板
２ｂ  ２型掲示板の左側Ｌ字型の表板
３ａ  １型掲示板の裏板用中板
３ｂ  ２型掲示板の左側裏板用中板
４ａ  １型掲示板の表板用中板
４ｂ  ２型掲示板の左側表板用中板
５    ２型掲示板のＵ字型の裏板
６    中板用丁番
７    表板用丁番
８    各掲示板間の間隔用スペーサー
９    戸開き用取手
１０    帯鉄
【図１】
0003202538.tif 000003
【図２】
0003202538.tif 000004
【図３】
0003202538.tif 000005
【図４】
0003202538.tif 000006
【図５】
0003202538.tif 000007
【図６】
0003202538.tif 000008
(57)【要約】【課題】  上肢の筋力増強を目的としたお手玉の提供を目的とするものである。【解決手段】  お手玉の芯材に鋼球を用いる。【選択図】図１
0003202540.tif 000002
【実用新案登録請求の範囲】
【請求項１】
お手玉の芯材に鋼球を用いたことを特徴とする、上肢の筋力増強運動用のお手玉。
【考案の詳細な説明】
【技術分野】
【０００１】  本考案は上肢の筋力増強運動を行う為のお手玉に関するものである。
【背景技術】
【０００２】  従来のお手玉は芯材として小豆やプラスチックペレット等軽量な素材を用いている。
【考案の開示】
【考案が解決しようとする課題】
【０００３】  上肢の筋力増強を図ったお手玉の提供を目的とするものである。そのため、本願は、お手玉の芯材として鋼球を用い、お手玉の扱い者の上肢の筋肉に負荷をかける事のできるお手玉を提供しようとするものである。
【課題を解決するための手段】
【０００４】  上記課題を解決するため、上肢の筋力増強用のお手玉においては、お手玉の芯材に鋼球を用いる。
【考案の効果】
【０００５】  上肢の筋力増強用のお手玉は、鋼球を詰めてあるので、手や腕の適度な筋力増強運動となる。
また、従来のお手玉遊びのほか、お手玉を手に持ったまま腕を動かすだけでも上肢の適度な筋力増強運動となる。重さの調整は、鋼球の詰める量で調整が可能である。
また、本考案のお手玉を握ることにより、鋼球の細やかな感触が指や掌への適度な刺激となり、健康増進の一助となる。
【考案を実施するための最良の形態】
【０００６】  本考案は、芯材に鋼球を用いたことを特徴とする。鋼球とは別名をスチールボールと呼び、その材質には炭素（カーボン）またはステンレスの２種類がある。
鋼球の大きさは直径３ｍｍから８ｍｍの間で調整が可能である。
また、鋼球の代わりに砂鉄を用いることも可能である。
芯材を入れる容器は袋の形態を成す。また、袋の素材は布地が一般的であるが、皮革、合成皮革、プラスチックシートなどの素材でも実施が可能である。
お手玉の形状は、座布団型、俵型、枕型、かます型などが一般的な形状であるが、四角型や三角型など任意な形状に形成できる。
お手玉の表面には色彩や模様を付けるのが一般的であるが、文字、ロゴマーク、キャラクターを表示する形態も選択できる。
【図面の簡単な説明】
【０００７】
【図１】本考案に係る上肢の筋力増強運動用お手玉の一部を断面図とする斜視図である。
【符号の説明】
【０００８】１袋
２鋼球
【図１】
0003202540.tif 000003
(57)【要約】      （修正有） 【課題】ベルトの円滑かつ安定した運動が得られ、かつベルトの摩耗を減少、もしくは防ぐことによって保守のコストを低減させ、使用寿命を延長させることのできるベルトドライブ方式の染色機のベルト支持構造を提供する。【解決手段】ベルト１の底面側に支持座６を設け、かつ該支持座６上に耐摩耗性を有する軟質の単一の帯状物、もしくは複数本の帯状物である支持体５を設け、該ベルト１が運動する場合に該支持体５に支持され、該支持体５上を摺動するように構成する。【選択図】図２
0003202562.tif 000002
【実用新案登録請求の範囲】
【請求項１】
ベルトの底面側に支持座を設け、かつ該支持座上に耐摩耗性を有する軟質の単一の帯状物、もしくは複数本の帯状物である支持体を設け、
該ベルトが運動する場合に該支持体に支持され、該支持体上を摺動するように構成したことを特徴とするベルトドライブ方式の染色機のベルト支持構造。
【考案の詳細な説明】
【技術分野】
【０００１】
この考案は、染色機に関し、特にベルトドライブ方式で被染色体である布帛を移動させる染色機のベルト支持構造に関する。
【背景技術】
【０００２】
従来のベルトドライブ方式の染色機は、ベルトが複数のローラーで支持されている。然しながら、複数の該ローラーのベルトを支持する力がそれぞれ不均一であったり、支持する力が不足していたりして、ベルトを駆動して被染色体である布帛を送る場合、ベルトに波状の起伏が容易に発生する。このため、染色装置の作動が円滑に行われなくなり、安定性に欠けることになる。しかも被染色体である布帛がベルトによって傷つけられる現象が容易に発生し、また寝るとの摩耗、損壊を容易に招く。したがって、染色機の保守のコストが増加するのみならず、染色機の使用寿命を短縮することに繋がる。
【考案の概要】
【考案が解決しようとする課題】
【０００３】
この考案は、ベルトの円滑かつ安定した運動が得られ、かつベルトの摩耗を減少、もしくは防ぐことによって保守のコストを低減させ、使用寿命を延長させることのできるベルトドライブ方式の染色機のベルト支持構造を提供することを課題とする。
【課題を解決するための手段】
【０００４】
そこで、本考案者は従来のベルトドライブ方式の染色機に見られる欠点に鑑み鋭意研究を重ねた結果、ベルトの底面側に支持座を設け、かつ該支持座上に耐摩耗性を有する軟質の単一の帯状物、もしくは複数本の帯状物である支持体を設けてなるベルトドライブ方式の染色機のベルト支持構造によって課題を解決でできる点に着眼し、係る知見に基づいて本考案を完成させた。
【０００５】
以下この考案について説明する。請求項１に記載するベルトドライブ方式の染色機のベルト支持構造は、ベルトの底面側に支持座を設け、かつ該支持座上に耐摩耗性を有する軟質の単一の帯状物、もしくは複数本の帯状物である支持体を設け、
該ベルトが運動する場合に該支持体に支持され、該支持体上を摺動するように構成する。
【図面の簡単な説明】
【０００６】
【図１】この考案によるベルト支持構造の構造を示した説明図である。
【図２】図１のＡ-Ａ線に沿った断面の構造を示した説明図である。
【考案を実施するための形態】
【０００７】
この考案はベルトの円滑かつ安定した運動が得られ、かつベルトの摩耗を減少、もしくは防ぐことによって保守のコストを低減させ、使用寿命を延長させることのできるベルトドライブ方式の染色機のベルト支持構造を提供するものであって、ベルトの底面側に支持座を設け、かつ該支持座上に耐摩耗性を有する軟質の単一の帯状物、もしくは複数本の帯状物である支持体を設ける。係るベルトドライブ方式の染色機のベルト支持構造の特徴を説明するために、具体的な実施例を挙げ、図面を参照にして以下に詳述する。
【０００８】
図１に開示するように、この考案によるベルトドライブ方式の染色機のベルト支持構造は、ベルト１の底面側に支持座６を設け、支持座６上に、例えばポリテトラフルオロエチレンなどによる耐摩耗性を有する軟質の単一の帯状物、もしくは複数本の帯状物である支持体５を設ける。
【０００９】
ベルト１が運動する場合、ガイドローラ２のガイドによってチェーン３が支持レール４上を順に運動する。この場合、ベルト１は支持体５に支持され、かつ支持体５上を摺動する。よって、ベルト１の安定した運動を確保し、かつベルト１の摩耗による損壊を防ぐか、もしくは抑制することができ、このためベルト１の保守のコストを低減させることができ。必要な場合は支持体５のみを交換すればよいため、機械の使用寿命を延長することができる。
【符号の説明】
【００１０】
１ベルト
２ガイドローラ
３チェーン
４支持レール
５支持体
６支持座
【図１】
0003202562.tif 000003
【図２】
0003202562.tif 000004
(57)【要約】      （修正有） 【課題】ベルトが波状に起伏することなく安定した支持が得られ、且つベルトの摩耗による更換の必要のないベルトドライブ方式の染色機のベルト支持構造を提供する。【解決手段】ベルト１の底部に１本、もしくは複数のチェーン３を設け、該チェーン３の一方の面が支持レール４上で運動し、かつ該チェーン３の他方の面が該ベルト１を直接支持するとともに、該チェーン３が該ベルト１と同時に運動する。【選択図】図２
0003202561.tif 000002
【実用新案登録請求の範囲】
【請求項１】
ベルトの底部に１本、もしくは複数のチェーンを設け、該チェーンの一方の面が支持レール上で運動し、かつ該チェーンの他方の面が該ベルトを直接支持するとともに、該チェーンが該ベルトと同時に運動することを特徴とするベルトドライブ方式の染色機のベルト支持構造。
【考案の詳細な説明】
【技術分野】
【０００１】
この考案は、染色機に関し、特にベルトドライブ方式で被染色体である布帛を移動させる染色機のベルト支持構造に関する。
【背景技術】
【０００２】
ベルトドライブ方式の染色機は、ベルトが被染色体である布帛を送る場合、布帛の重量によってベルトが下方に撓んで下がるか、もしくは波状の起伏が発生する。係る現象を改善するために、従来の技術においてはベルトの底部に支持手段を設けている。例えば、摩耗性の材質による固定式の支持物体、もしくは複数のローラーを並べた支持手段などであって、これらによってベルトの安定した運動が得られる。
【０００３】
但し、摩耗性の材質によってなる部材は、摩耗するが故に部材自体を不定期に交換しなければならず、またベルト自体も摩耗することから、更換しなければならなくなる。
【０００４】
また、複数のローラーによってなる支持手段は、ベルトの摩耗を招くことがないものの、複数のローラーを並べる密度によって、ベルトにそれぞれ程度の異なる複数の波状の起伏が発生する。
【考案の概要】
【考案が解決しようとする課題】
【０００５】
この考案は、ベルトが波状に起伏することなく安定した支持が得られ、且つベルトの摩耗による更換の必要のないベルトドライブ方式の染色機のベルト支持構造を提供することを課題とする。
【課題を解決するための手段】
【０００６】
そこで、本考案者は従来のベルトドライブ方式の染色機に見られる欠点に鑑み鋭意研究を重ねた結果、ベルトの底部に１本、もしくは複数のチェーンを設け、該チェーンの一方の面が支持レール上で運動し、かつ該チェーンの他方の面が該ベルトを直接支持するとともに、該チェーンが該ベルトと同時に運動するベルトドライブ方式の染色機のベルト支持構造によって課題を解決でできる点に着眼し、係る知見に基づいて本考案を完成させた。
【０００７】
以下この考案について説明する。請求項１に記載するベルトドライブ方式の染色機のベルト支持構造は、ルトの底部に１本、もしくは複数のチェーンを設け、該チェーンの一方の面が支持レール上で運動し、かつ該チェーンの他方の面が該ベルトを直接支持するとともに、該チェーンが該ベルトと同時に運動する。
【図面の簡単な説明】
【０００８】
【図１】この考案によるベルト支持構造の動作を示した説明図である。
【図２】図１のＡ-Ａ線に沿った断面の構造を示した説明図である。
【図３】この考案によるベルト支持構造を示した説明図である。
【考案を実施するための形態】
【０００９】
この考案はベルトが波状に起伏することなく安定した支持が得られ、且つベルトの摩耗による更換の必要のないベルトドライブ方式の染色機のベルト支持構造を提供するものであって、布帛を駆動するベルトの底部に１本、もしくは複数のチェーンを設け、該ベルトを該チェーンで支持してなる。係るベルトドライブ方式の染色機のベルト支持構造の特徴を説明するために、具体的な実施例を挙げ、図面を参照にして以下に詳述する。
【実施例】
【００１０】
図１、２、３に開示するように、この考案によるベルトドライブ方式の染色機のベルト支持構造は、ベルト１の底部に支持座３２と支持チェーン３１とを具える１本もしくは複数のチェーン３を設けてなる。
【００１１】
支持チェーン３１の一方の面は支持レール５上で運動し、支持レール５は支持座固定フレーム４に固定される。また、支持チェーン３１の他方の面は支持座３２によってベルト１を直接支持し、支持するベルトと同時に運動する。
【００１２】
よって、ベルト１がガイドローラ２の運動に連動する場合、ベルト１と支持チェーン３１との間に摩耗が発生することを完全に避けることができる。このためベルト１は永久部材となり、永久に交換する必要がなくなる。また、ベルトを安定して運動させることができ、機械の使用寿命を延長することができる。
【符号の説明】
【００１３】
１ベルト
２ガイドローラ
３チェーン
３１支持チェーン
３２支持座
４支持レール
５支持座固定フレーム
【図１】
0003202561.tif 000003
【図２】
0003202561.tif 000004
【図３】
0003202561.tif 000005
(57)【要約】      （修正有） 【課題】ベルトの摩耗を防ぎ、ベルトの交換を必要なくすることによって保守のコストを低減させ、機械の使用寿命を延長させることのできるベルトドライブ方式の染色機のベルト支持構造を提供する。【解決手段】ベルト１の底面側にローラー支持フレーム６を設け、該ローラー支持フレーム６上に、単一、もしくは複数のローラー５１とローラー支持座５２とによってなる支持手段５を設けて該ベルト１を直接支持する。【選択図】図１
0003202563.tif 000002
【実用新案登録請求の範囲】
【請求項１】
ベルトの底面側にローラー支持フレームを設け、該ローラー支持座上に、単一、もしくは複数のローラーとローラー支持座とによってなる支持手段を設けて該ベルトを直接支持することを特徴とするベルトドライブ方式の染色機のベルト支持構造。
【考案の詳細な説明】
【技術分野】
【０００１】
この考案は、染色機に関し、特にベルトドライブ方式で被染色体である布帛を移動させる染色機のベルト支持構造に関する。
【背景技術】
【０００２】
従来のベルトドライブ方式の染色機は、ベルトを固定式で設けた支持体を具え、該支持体は高い耐摩耗特性を有する。然しながら、該支持体は不定期に取り換える必要がある。しかも、ベルトの摩耗と損壊を容易に招く。したがって、ベルトを交換する必要が発生し、保守のコストが高くなるのみならず、染色機の使用寿命を縮減することにもなる。
【考案の概要】
【考案が解決しようとする課題】
【０００３】
この考案は、ベルトの摩耗を防ぎ、ベルトの交換を必要なくすることによって保守のコストを低減させ、機械の使用寿命を延長させることのできるベルトドライブ方式の染色機のベルト支持構造を提供することを課題とする。
【課題を解決するための手段】
【０００４】
そこで、本考案者は従来のベルトドライブ方式の染色機に見られる欠点に鑑み鋭意研究を重ねた結果、ベルトの底面側にローラー支持フレームを設け、該ローラー支持座上に、単一、もしくは複数のローラーとローラー支持座とによってなる支持手段を設けて該ベルトを直接支持するベルトドライブ方式の染色機のベルト支持構造によって課題を解決でできる点に着眼し、係る知見に基づいて本考案を完成させた。
【０００５】
以下この考案について説明する。請求項１に記載するベルトドライブ方式の染色機のベルト支持構造は、ベルトの底面側にローラー支持フレームを設け、該ローラー支持座上に、単一、もしくは複数のローラーとローラー支持座とによってなる支持手段を設けて該ベルトを直接支持する。
【図面の簡単な説明】
【０００６】
【図１】この考案によるベルト支持構造の構造を示した説明図である。
【図２】図１のＡ-Ａ線に沿った断面の構造を示した説明図である。
【図３】この考案によるベルト支持構造の構造を示した他の説明図である。
【考案を実施するための形態】
【０００７】
この考案は、ベルトの摩耗を防ぎ、ベルトの交換を必要なくすることによって保守のコストを低減させ、機械の使用寿命を延長させることのできるベルトドライブ方式の染色機のベルト支持構造を提供するものであって、ベルトの底面側にローラー支持フレームを設け、該ローラー支持座上に、単一、もしくは複数のローラーとローラー支持座とによってなる支持手段を設けて該ベルトを直接支持する。係るベルトドライブ方式の染色機のベルト支持構造の特徴を説明するために、具体的な実施例を挙げ、図面を参照にして以下に詳述する。
【実施例】
【０００８】
図１、２、３に開示するように、この考案によるベルトドライブ方式の染色機のベルト支持構造は、ベルト１の底面側にローラー支持フレーム６を設け、ローラー支持座６上に、単一、もしくは複数のローラー５１とローラー支持座５２とによってなる支持手段５を設け、ベルト１を直接支持する。
【０００９】
ベルト１が運動する場合、ガイドローラ２のガイドによってチェーン３が支持レール４上を順に運動する。この場合、ローラー支持座６上で、かつベルト１の下方に位置する支持手段５のローラー５１がベルト１の運動と同時に転動する。このためベルト１の摩耗を防ぎ、ベルト１の摩耗による更換の必要がなくなり、保守のコストを低減させることができ、機械の使用寿命を延長することができる。
【符号の説明】
【００１０】
１ベルト
２ガイドローラ
３チェーン
４支持レール
５支持手段
５１ローラー
５２ローラー支持座
６ローラー支持フレーム
【図１】
0003202563.tif 000003
【図２】
0003202563.tif 000004
【図３】
0003202563.tif 000005
(57)【要約】      （修正有）【課題】爪部の先端への回収物の突き刺さり、絡み付きを防止できる、先端Ｕ字状の熊手を提供する。【解決手段】柄と、柄の先端に接続する端末部材に一端が連結する複数本の鈎状の金属線を放射状に備えた爪部とからなり、二本の隣り合う前記金属線の先端同士が弧状に連結してＵ字先端部３ｄを形成することを特徴とする先端Ｕ字状の熊手とした。また、前記爪部に、間隔保持具３ｃを備え、間隔保持具に設けられたスペースに、鈎爪単位、或いは金属線を別個に通し、間隔保持具をスライドすることで、隣り合う、鈎爪３ｅ同士及び金属線３ａ同士の間隔を調節するようにした。【選択図】図１
0003202568.tif 000002
【実用新案登録請求の範囲】
【請求項１】
柄と、前記柄の先端に接続する端末部材に一端が連結する複数本の鈎状の金属線を放射状に備えた爪部とからなり、
二本の隣り合う前記金属線の先端同士が弧状に連結してＵ字先端部を形成することを特徴とする先端Ｕ字状の熊手。
【考案の詳細な説明】
【技術分野】
【０００１】
本考案は、爪部の先端への回収物の突き刺さり、絡み付きを防止できる、先端Ｕ字状の熊手に関する。
【背景技術】
【０００２】
従来の熊手は、柄の先端に位置し、鈎状の竹、或いは金属線が放射状に複数本備えられた爪部で、落ち葉、ゴミなどを掻き集める。その際、回収される落ち葉、ゴミなど回収物が、竹、金属線の先端に刺さり、それらを除去しながら作業を行う必要があり、作業効率が悪く、煩雑であった。
【０００３】
そこで、回収物の爪部の先端への突き刺さり、絡み付き防止する熊手として、特許文献１、２などが開発されている。
【０００４】
特許文献１の熊手は、爪先に木の根や草の根等が引掛かることなく、絡み付きも防止し、地面突刺しもなく、円滑に落葉さらい、穀物の掻寄せができる金属熊手であって、柄６の先端に接続した要２から金属線群３を扇状に延設し、その先端各爪先４を下方へ折曲させて成る金属熊手１において、前記各爪先４を前記金属線群３の線方向に沿うカ−ル状４ａ乃至リング状４ｂ乃至吊リング状４ｃに形成したものである。
【０００５】
しかしながら、１本の金属線の先端を丸くカール乃至リング状に形成したとしても、その径が小さければ、回収物の金属線の爪先端への突き刺さり現象は解消されない。
【０００６】
他方、特許文献２の図１に開示の従来の熊手１０（図２（Ａ））は、鈎爪部の範囲内で枯葉やゴミ類の突き刺さりや絡み付きを確実に食い止めるようにして、親骨側への迫り上がりや絡み付きを確実に阻止し、作業効率を高めるようにする新規な構造の熊手であって、柄５の要金具部６に支持され、先端側に鈎爪部２が形成されてなる親骨の複数本１，１，……を放射状配置とした上、各隣接鈎爪部２，２，‥‥‥相互間を線条３が、揺動自由度を確保できるよう緩やかに連繋してしまい、隙間を実質的に閉鎖状としてなる熊手である。
【０００７】
しかしながら、特許文献２の熊手は、隣接鈎爪間を、隣接鈎爪部相互間の隙間を実質的に閉鎖状の線条または鍔材が取り付けられてなるもの（請求項１）、線条が隣接鈎爪部相互間を緩やかに連繋し、隣接鈎爪部相互間の隙間を実質的に閉鎖状とするもの（請求項２）、線条を脱着自在に繋着可能とする小環状、小瘤状あるいは繋着溝状の連繋用繋着部を形成してなるもの（請求項４）で、先端のこし、すべての金属線鈎爪を緩やかに連結している。
【０００８】
したがって、鈎爪の先端部に、落ち葉４などの回収物が突き刺さる現象（図２（Ｂ））はまったく解消されるものではない。
【先行技術文献】
【特許文献】
【０００９】
【特許文献１】実用新案登録第３０１２６０４号公報
【特許文献２】特開２００５−１４３３２２号公報
【考案の概要】
【考案が解決しようとする課題】
【００１０】
そこで、本考案は、爪部の先端への回収物の突き刺さり、絡み付きを防止できる、先端Ｕ字状の熊手を提供することを目的とする。
【課題を解決するための手段】
【００１１】
本考案は、上記の課題を解決するために、
柄と、前記柄の先端に接続する端末部材に一端が連結する複数本の鈎状の金属線を放射状に備えた爪部とからなり、
二本の隣り合う前記金属線の先端同士が弧状に連結してＵ字先端部を形成することを特徴とする先端Ｕ字状の熊手とした。
【００１２】
また、前記爪部に、間隔保持具を備え、前記間隔保持具に設けられたスペースに、鈎爪単位、或いは金属線を別個に通し、間隔保持具をスライドすることで、隣り合う、鈎爪同士及び金属線同士の間隔を調節する先端Ｕ字状の熊手とした。
【考案の効果】
【００１３】
本考案は、上記構成であるので、爪部の先端への回収物の突き刺さり、絡み付きを防止できる。
【図面の簡単な説明】
【００１４】
【図１】本考案である先端Ｕ字状の熊手の斜視図である。
【図２】従来の熊手の斜視図（Ａ）と、使用状態の説明図（Ｂ）である。
【考案を実施するための形態】
【００１５】
以下、添付の図面を参照し、本考案の実施の形態の一例について詳細に説明する。なお、本考案は下記実施例に限定されるものではない。
【実施例１】
【００１６】
図１に示すように、本考案である先端Ｕ字状の熊手１は、柄２と爪部３からなる。
【００１７】
柄２は、手で持たれる棒である。爪部３は、柄２の先端に接続する端末部材３ｂと、端末部材３ｂに一端が連結し、そこから放射状に備えられる、複数本の鈎状の金属線３ａとからなる。柄２と爪部３は、着脱可能としてもよい。
【００１８】
爪部３の二本の隣り合う金属線３ａは、その先端同士が弧状（輪状）に連結してＵ字先端部３ｄを形成する。
【００１９】
先端に、Ｕ字先端部３ｄを備える、２本１組の金属線３ａは、一組の鈎爪３ｅを構成する。複数の鈎爪３ｅが、端末部材３ｂに放射状に連結し、爪部３を構成するとともに、爪部３には間隔保持具３ｃを備える。
【００２０】
間隔保持具３ｃは、従来の熊手でも用いられており、蝶ネジ３ｇの締緩で、爪部３をスライド、固定することで、爪部の金属線間の距離を調節し、回収物の大きさ、性状に合わせて、金属線３ａ、爪部３の先端の開口度を調節するものである。
【００２１】
間隔保持具３ｃに設けられたスペース３ｆに、鈎爪３ｅ単位、或いは金属線３ａを別個に通し、間隔保持具３ｃをスライドすることで、隣り合う、鈎爪３ｅ同士及び金属線３ａ同士の間隔を調節することができる。
【００２２】
このようにしてなる、先端Ｕ字状の熊手１は、先端に、回収物が刺さり、絡みつくことが低減し、さらに、地面への突き刺さりも低減される。
【００２３】
また、鈎爪３ｅを構成する２本の金属線３ａの間隔保持具３ｃがスライドする部分の輪郭を楕円形のように弧状に形成すると、間隔保持具３ｃの位置により金属線３ａで形成さえる輪の形状が異なる湾曲状をして、回収物の形状、特性にあった爪部３の形状で回収することができる。
【符号の説明】
【００２４】
１    先端Ｕ字状の熊手
２    柄
３    爪部
３ａ  金属線
３ｂ  端末部材
３ｃ  間隔保持具
３ｄ  Ｕ字先端部
３ｅ  鈎爪
３ｆ  スペース
３ｇ  蝶ネジ
４    落ち葉
１０  従来の熊手
【図１】
0003202568.tif 000003
【図２】
0003202568.tif 000004
(57)【要約】      （修正有）【課題】外出や保管時の収納方法として、デザイン性を妨げないモチーフによりコンパクトに畳め、パーツの不具合の割合を少なくすると共に軽量化を図った帽子を提供する。【解決手段】帽子本体１にパーツ凸型部分２を埋め込んでいる。ベルトやテープ等のモチーフ部分３には穴またはスリット部分４が付いていて、左右を折りたたみ、部分４を部分２で止める事によりコンパクトに畳むことが出来る。部分３がデザイン性と機能性を持ち合わせたのが特徴である。【選択図】図１
0003202502.tif 000002
【実用新案登録請求の範囲】
【請求項１】
本考案は帽子本体にパーツを取り付け、ツバ部分に帽子本体に取り付けたパーツを受け止めるモチーフ（ベルト、テープ等）を設け、折り畳め持ち運びやすさと嵩張らないといった機能性。また軽量化やパーツの不具合率を下げる事を特徴とした帽子。
【考案の詳細な説明】
【技術分野】
【０００１】本考案は、デザインを妨げずコンパクトにたたむ事の出来る帽子に関するものである。
【背景技術】
【０００２】外出や保管時に帽子を脱いだ場合、手で持つ、丸める、形を崩さないように平らな場所で保管している。また帽子のツバの外周部にボタン付テープを取り付け、帽子の本体にそのボタンを受け止めるボタンを設け、帽子を折り畳む帽子がある。【０００３】
【特許文献１】実用新案登録第３１３９６７６号（Ｕ３１３９６７６）
【考案の概要】
【考案が解決しようとする課題】
【０００４】帽子を小さく折り畳む事に重点を置くことを特徴にしている。従って、日常被った時にボタン取り付け部分が多い事や、ツバの外周部に取り付けたテープも大ぶりな為デザイン性に欠ける。またボタン取り付け箇所が帽子本体含め多数になるため重さや不具合がでる可能性が大きくなる。
【課題を解決するための手段】
【０００５】本考案は、小さく折り畳んで持ち運びは勿論、コンパクトになる為、嵩張らずまた軽量化や不具合の比率を下げ、着脱時の見栄えなども兼ね備えた考案である。帽子本体部分にパーツを設け、ツバ先部分にパーツを受け止めるモチーフ（ベルト、テープ等に穴またはスリットが入ったもの）を取り付ける。畳んだ時、パーツを受け止める事によりコンパクト且つディスプレイ効果も備えた形状になる。また被った際もモチーフやパーツも目立たたないデザインが特徴である。
折り畳む機能は勿論のこと、パーツ取り付け部分を一箇所のみにすることにより軽量化、またパーツ不具合の割合も減らせる。また着脱時コンパクトなモチーフがひとつのアクセントとしても楽しめる帽子になる。
【考案の効果】
【０００６】上記の様に、本考案のデザインを妨げないポケッタブル帽子は被った際パーツやモチーフ等が目立たなく多方向にでも被れ、
シンプル且つスタイリッシュなパーツとモチーフの取り付け方の考案。またパーツ取り付け部分を一箇所のみにすることにより軽量化、パーツの不具合の割合を減らした。
【図面の簡単な説明】
【０００７】
【図１】本考案のデザインを妨げないポケッタブル帽子代表図面
【図２】帽子たたみ方１
【図３】帽子たたみ方２
【図４】本考案のデザインを妨げないポケッタブル帽子最終状態
【考案を実施するための形態】
【０００８】以下、添付図面に従って一実施例を説明する。１は帽子本体である。２は帽子を畳んだ時に止めるパーツ凸型で１の帽子本体に埋め込んでいる。この２部分に３モチーフに付いている４部分の穴またはスリット部分にはめる事により畳むことが出来る。５部分は帽子を被っている時に３，４部分を通して使用し、帽子を被っている時に邪魔にならないようにする事が出来る。
【符号の説明】
【０００９】  １  帽子本体
２  パーツ凸型
３  モチーフ（ベルト、テープ等）
４  穴またはスリット部分
５  渡し
【図１】
0003202502.tif 000003
【図２】
0003202502.tif 000004
【図３】
0003202502.tif 000005
【図４】
0003202502.tif 000006
【手続補正書】
【提出日】平成27年11月9日(2015.11.9)
【手続補正１】
【補正対象書類名】実用新案登録請求の範囲
【補正対象項目名】全文
【補正方法】変更
【補正の内容】
【実用新案登録請求の範囲】
【請求項１】
帽子本体とツバ部分からなる帽子であって、前記帽子本体に凸状のパーツが取り付けられ、前記ツバ部分に前記パーツを受け止めるための穴又はスリットを有するモチーフが設けられたことを特徴とする帽子。
(57)【要約】      （修正有）【課題】着座センサーが付いている温水洗浄便座において、スイッチを入れても着座センサーと直接人の肌が触れないと本体及びリモコンが動作せず、便座ヒーターのスイッチを切っていても市販の布製便座シートを使って暖かく感じるようにし省エネ化を図った便座シートを提供する。【解決手段】便座用として一般に売られている布製便座シートを使用して、着座センサーのある所と導通するように導電性テープ６を便座シート５に巻きつけて、着座センサーと人の肌が電気的に通じるようにした。これで、便座ヒーターを切った状態でも本体及びリモコンが動作し座った時に便座シートで暖かく省エネ化が出来るようになった。なお、導電性テープは「極細繊維不織布」を使用した静電気除去テープで導電ポリマーを反応形成させたテープを使用したものが良い。【選択図】図３
0003202506.tif 000002
【実用新案登録請求の範囲】
【請求項１】
便座の上に敷く便座シートであって、便座の着座センサーと座った人のお尻の肌が導通する様に導電性テープを貼り付けた便座シート。
【請求項２】
導電性テープとして、極細繊維不織布を使用した静電気除去テープで導電ポリマーを反応形成させたテープを使用した便座シート。
【考案の詳細な説明】
【技術分野】
【０００１】本考案は、トイレの便座シートに導電性テープを張り付けることにより、省エネを計ったものである。
【背景技術】
【０００２】トイレは洋式化されてきているが、便座が合成樹脂製のため座った時に冷たい感じを避けるために、便座には温熱ヒーターを付けて常時暖かい便座に座ることが出来る様になっている。その他、ウオッシュレット等で温水洗浄も使えるようにもなっている。
また、便座に人が座った時だけ本体及びリモコンの操作が使えるように便座には着座センサーが付いている。【０００３】しかし、本体及びリモコン等は着座センサーが人の肌と触れてないと操作が出来ず、昨今の節電意識の高まりにより節電モードに出来るようになってきているが、基本的には常時便座は温熱ヒーターのスイッチを入れておく必要があった。
【先行技術文献】
【非特許文献１】温水洗浄便座シーティアＱ「ＱＲ−５００−５００」  株式会社クラシアン「らくらくガイド」
【考案の概要】
【考案が解決しようとする課題】
【０００４】解決しようとする問題は、温熱ヒーターのスイッチを切っても便座に座った時に冷たく感じないようにする。【０００５】便座には着座センサーが付いていて本体及びリモコンで操作できるが、この着座センサーに肌がふれてないと本体及びリモコンが使えないため布製便座シートは使えない。
【課題を解決するための手段】
【０００６】本考案は、以上のような従来の欠点に鑑み、便座の着座センサー部に人の肌が触れていると同じ効果を得るように、暖かい布製便座シートを使用して便座シートに導電性テープを巻きつけて電気的に導通するようにした便座シートを提供し解決する事を目的としている。【０００７】この導電性テープを巻きつけた便座シートを使用することにより、本体及びリモコンを動作させながら便座ヒーターのみを切って省エネ化が可能となった。【０００８】上記目的を達成するために、本考案は着座センサーに接触する部分に導電性テープを便座シートに巻きつけるようにした。
【考案の効果】
【０００９】以上の説明から明らかなように、本考案にあっては次に列挙する効果が得られる。【０００１０】便座を温めておく必要もなく省エネ化が得られる。【００１１】便座シートがあるので便座に座っても最初から温かみが得られる。
【図面の簡単な説明】
【００１２】
【図１】洋式便器全体
【図２】便座の便座シート及び着座センサー位置図
【図３】布便座シートに導電性テープを巻きつけた状態
【図４】便座シートと着座センサーの接触部のＡ‐Ａ’断面図
【考案を実施するための形態】
【００１３】以下、本考案の実施の形態を図に基づいて説明する。
【実施例１】図１は、本考案実施例の便器全体図で、１は便ふた、２は便座、３は着座センサー、４はお尻洗浄ノズル。
【実施例２】図２は、本考案実施例の３の着座センサーと５の便座シートの位置図である。
【実施例３】図３は、本考案実施例の５の便座シートに６の導電性テープを巻きつけた状態である。
【実施例４】図４は、本考案実施例の３の着座センサーの位置におけるＡ‐Ａ’断面図である。
【符号の説明】
【００１４】１  便ふた
２  便座
３  着座センサー
４  おしり洗浄ノズル
５  便座シート
６  導電性テープ
【図１】
0003202506.tif 000003
【図２】
0003202506.tif 000004
【図３】
0003202506.tif 000005
【図４】
0003202506.tif 000006
【手続補正書】
【提出日】平成27年11月11日(2015.11.11)
【手続補正１】
【補正対象書類名】実用新案登録請求の範囲
【補正対象項目名】全文
【補正方法】変更
【補正の内容】
【実用新案登録請求の範囲】
【請求項１】
便座の上に敷く便座シートであって、便座の着座センサーと座った人のお尻の肌が導通する様に導電性テープを貼り付けた便座シート。
【請求項２】
導電性テープとして、極細繊維不織布を使用した静電気除去テープで導電ポリマーを反応形成させたテープを使用した請求項１に記載の便座シート。
(57)【要約】      （修正有）【課題】電動車の欠点である航続距離を従来よりも延長することができる航続距離を延ばす構造を提供する。【解決手段】動力として用いない車輪に発電機１を取り付けて電気を生成させる。発電された電気は車両の作動電圧にするために制圧器、トランス２によって定圧して、搭載の動力バッテリー３から送電されている線と６のように並列に接続する。発電機１および制圧器、トランス２によって発電された電気と動力バッテリー３との電気の併用により駆動用モーター５を回すため、搭載の動力バッテリー３の消費を抑えることとなり、従来よりも航続距離の延長を可能とする。【選択図】図１
0003202504.tif 000002
【実用新案登録請求の範囲】
【請求項１】
駆動輪外のホールに発電機を組み合わせ、電動車の航続距離を延ばす構造
【考案の詳細な説明】
【技術分野】
【０００１】  本考案は電動車の航続距離延長に関するものである。
【背景技術】
【０００２】  電動車においてはガソリン車に比べ航続距離が短いという欠点が普及の足かせの一因となっている。
【考案の概要】
【考案が解決しようとする課題】
【０００３】  バッテリー容量の増大なく航続距離の延長を図る。
【課題を解決するための手段】
【０００４】  駆動輪として運用していない輪、ホイールに発電機を組み合わせる。【０００５】  発電された電気はコントローラーを通じ動力電圧に制圧して出力させる。【０００６】  出力される電気は駆動輪を動かすコントローラーにバッテリーからの電気に並列接続して送電する。
【考案の効果】
【０００７】  従来のバッテリーに加え磁化発電の電気を用いる事により、バッテリー本体の電気使用量を抑える事が可能になり、従来に比べ電動車の航続距離が延長される。
【図面の簡単な説明】
【０００８】
【図１】  システム図
【考案を実施するための形態】
【０００９】  通常の電動車両の駆動輪外の車輪に発電機１を取り付け、生成された電気を動力として使用するために作動電圧に定圧するための制圧器、トランス２を用い搭載バッテリー３と接続して動力コントローラー４へ送電しモーター５を回す。
【実施例】
【００１０】  駆動輪として用いない車輪に発電機１を組み合わせる。【００１１】  発電機１によって発電した電気は制圧器、トランス２をもって作動電圧に定圧する。【００１２】  作動電圧に定圧された電気は動力バッテリー３からの電気と並列６のように接続して動力コントローラー４へ送電し駆動用モーター５を回す。
【符号の説明】
【００１３】  １  駆動外輪に組み合わせた発電機
２  制圧器、トランス
３  動力バッテリー
４  動力コントローラー
５  駆動用モーター
６  並列繋ぎの送電線
【図１】
0003202504.tif 000003
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
駆動輪として用いないホイールに発電機を組み合わせ、車輪の回転によって発電機より電気を生成し、この電気を制圧器、トランスによって作動電圧に調整してバッテリーと並列に接続することにより航続距離を延ばす構造。